Podtech/llm-jp-corpus-v4-ja_patent huggingface dataset:
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
水性陰極電着（ＣＥＤ）コーティング組成物であって、前記ＣＥＤコーティング組成物中に存在する酸等量に対して３〜１５等量％の量で、３〜７個の炭素原子を有する非環式ジカルボン酸、および環状構造単位を含む８〜１０個の炭素原子を有するジカルボン酸よりなる郡から選択される少なくとも１種のジカルボン酸と共に、樹脂固形分と、任意選択的に顔料、充填剤、および従来のコーティング添加剤とを含み、前記ＣＥＤコーティング組成物が、ビスマスとして計算して樹脂固形分に対して０．１〜２．５ｗｔ％の量の少なくとも１種のビスマス化合物を含むことを特徴とする水系ＣＥＤコーティング組成物。
【請求項２】
請求項１に記載のＣＥＤコーティング組成物のコーティングを導電性基板上に陰極電着することを含む方法。
【請求項３】
請求項２に記載の陰極電着方法を使用してコーティングされた基板。
【請求項４】
請求項２に記載の陰極電着方法を使用してコーティングされた自動車ボディーまたは部品。
【手続補正２】
【補正対象書類名】明細書
【補正対象項目名】００５０
【補正方法】変更
【補正の内容】
【００５０】
実施例４ａに比べて、本発明による実施例４ｃは、および実施例４ｂに比べて、本発明による実施例４ｄ〜４ｆは、ジカルボン酸を添加すると、ベーキング架橋に対する触媒的効果があることを示している。
本発明は以下の実施の態様を含むものである。
１．水性陰極電着（ＣＥＤ）コーティング組成物であって、前記ＣＥＤコーティング組成物中に存在する酸等量に対して３〜１５等量％の量で、３〜７個の炭素原子を有する非環式ジカルボン酸、および環状構造単位を含む８〜１０個の炭素原子を有するジカルボン酸よりなる郡から選択される少なくとも１種のジカルボン酸と共に、樹脂固形分と、任意選択的に顔料、充填剤、および従来のコーティング添加剤とを含み、前記ＣＥＤコーティング組成物が、ビスマスとして計算して樹脂固形分に対して０．１〜２．５ｗｔ％の量の少なくとも１種のビスマス化合物を含むことを特徴とする水系ＣＥＤコーティング組成物。
２．前記少なくとも１種のビスマス化合物の割合が、ビスマスとして計算して樹脂固形分に対して０．５〜２ｗｔ％であることを特徴とする前記１に記載のＣＥＤコーティング組成物。
３．前記少なくとも１種のビスマス化合物が、ビスマスキレート錯体、酸化ビスマス、水酸化ビスマス、およびビスマス塩よりなる群から選択されることを特徴とする前記１または２に記載のＣＥＤコーティング組成物。
４．前記少なくとも１種のビスマス化合物が、乳酸ビスマス、ジメチロールプロピオン酸ビスマス、アミドスルホン酸ビスマス、およびヒドロカルビルスルホン酸ビスマスよりなる群から選択されることを特徴とする前記１から３のいずれか一つに記載のＣＥＤコーティング組成物。
５．前記ＣＥＤコーティング組成物が、樹脂固形分１００ｇ当たり酸２０〜７０ミリ等量を含有することを特徴とする前記１から４のいずれか一つに記載のＣＥＤコーティング組成物。
６．前記樹脂固形分が、活性水素を含む基とブロックされたイソシアネート基との反応によって、自己架橋するか、または外部架橋する系を含むことを特徴とする前記１から５のいずれか一つに記載のＣＥＤコーティング組成物。
７．前記１から６のいずれか一つに記載のＣＥＤコーティング組成物のコーティングを導電性基板上に陰極電着することを含む方法。
８．前記基板が、自動車ボディー、およびボディー部品よりなる群から選択される基板を含むことを特徴とする前記７に記載の方法。
９．前記７に記載の陰極電着方法を使用してコーティングされた基板。
１０．前記８に記載の陰極電着方法を使用してコーティングされた自動車ボディーまたは部品。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
グラニセトロンを含む接着性経皮パッチであって、
更に非酸性ヒドロキシル部分を含むアクリル接着剤を含み、
生理学的有効量のグラニセトロンが前記接着剤中に装填されている接着性経皮パッチ。
【請求項２】
前記非酸性ヒドロキシル部分が、適切に選択されたコモノマーによって提供される、請求項１に記載のパッチ。
【請求項３】
前記選択されたコモノマーが、置換されたアクリレート及びメタクリレートから選択される、請求項２に記載のパッチ。
【請求項４】
前記アクリレートが、ヒドロキシメチルアクリレート、ヒドロキシエチルアクリレート及びヒドロキシプロピルアクリレートから選択される、請求項３に記載のパッチ。
【請求項５】
前記メタクリレートが、ヒドロキシメチルメタクリレート及びヒドロキシエチルメタクリレートから選択される、請求項３に記載のパッチ。
【請求項６】
感圧性である、請求項１乃至５のいずれか一項に記載のパッチ。
【請求項７】
過半量の主要なアクリレートモノマーを含む、請求項１乃至６のいずれか一項に記載のパッチ。
【請求項８】
前記主要なアクリレートモノマーが、２−エチルヘキシルアクリレート又はブチルアクリレートのいずれかである、請求項７に記載のパッチ。
【請求項９】
約２時間後に薬理学的有効量のグラニセトロンを提供するように適合された、請求項１乃至８のいずれか一項に記載のパッチ。
【請求項１０】
約１０重量%までのグラニセトロンを含む、請求項１乃至９のいずれか一項に記載のパッチ。
【請求項１１】
８％Ｗ／Ｗ未満のグラニセトロンを有する、請求項１０に記載のパッチ。
【請求項１２】
約４％Ｗ／Ｗを上回るグラニセトロンのレベルを有する、請求項１乃至１１のいずれか一項に記載のパッチ。
【請求項１３】
６％Ｗ／Ｗと７．７％Ｗ／Ｗとの間のグラニセトロンのレベルを有する、請求項１０に記載のパッチ。
【請求項１４】
室温及び常圧での１ヶ月間の保存の後に結晶化が観察されない、請求項１乃至１３のいずれか一項に記載のパッチ。
【請求項１５】
化学的に誘発された嘔吐の処置又は予防のための、請求項１乃至１４のいずれか一項に記載のパッチ。
【請求項１６】
前記嘔吐が急性である、請求項１５に記載のパッチ。
【請求項１７】
前記嘔吐が遅延性である、請求項１５に記載のパッチ。
【請求項１８】
分割化学療法に付随する嘔吐の処置又は予防のための、請求項１から１４のいずれか一項に記載のパッチ。
【請求項１９】
術後の悪心および嘔吐の処置又は予防のための、請求項１から１４のいずれか一項に記載のパッチ。
【請求項２０】
化学療法により誘発された悪心及び嘔吐の処置又は予防のための、請求項１から１４のいずれか一項に記載のパッチ。
【請求項２１】
放射線療法に付随する悪心及び嘔吐の処置又は予防のための、請求項１から１４のいずれか一項に記載のパッチ。
【請求項２２】
分割癌療法に付随する悪心及び嘔吐の処置又は予防のための、請求項１から１４のいずれか一項に記載のパッチ。
【請求項２３】
掻痒、線維筋痛及びそれに付随する疼痛、偏頭痛、不安、認識障害及び精神病性障害、鬱病、精神分裂病、産後鬱病における精神病、過敏性腸症候群、アルコール中毒症、閉塞性睡眠時呼吸障害、乗り物酔い、アルツハイマー病等の認識機能の喪失、尿失禁、ジスキネジア、全身性エリテマトーデス、薬物性の掻痒、早期射精、摂食障害、強迫性障害、胃運動障害、慢性疲労症候群、消化不良並びにコカイン依存症から選択される状態の処置又は予防のための、請求項１から１４のいずれか一項に記載のパッチ。
【請求項２４】
前記接着剤に、３％Ｗ／Ｗと１２％Ｗ／Ｗとの間のグラニセトロンが装填されている、請求項１乃至２３のいずれか一項に記載のパッチ。
【請求項２５】
前記接着剤に、４％Ｗ／Ｗと１０％Ｗ／Ｗとの間のグラニセトロンが装填されている、請求項２４に記載のパッチ。
【請求項２６】
前記接着剤に、５％Ｗ／Ｗと８％Ｗ／Ｗとの間のグラニセトロンが装填されている、請求項２４に記載のパッチ。
【請求項２７】
可塑剤も浸透促進剤も導入していない、請求項１乃至２６のいずれか一項に記載のパッチ。
【請求項２８】
６％Ｗ／Ｗのグラニセトロンの接着剤充填量で、前記接着剤が１０ｃｍ２と１００ｃｍ２との間の表面積を有する、請求項１乃至２７のいずれか一項に記載のパッチ。
【請求項２９】
前記接着剤が１５ｃｍ２と５０ｃｍ２との間の表面積を有する、請求項２８に記載のパッチ。
【請求項３０】
５−ＨＴ３レセプター活性に関連する嘔吐の処置又は予防のための医薬品の製造におけるグラニセトロンの使用であって、
前記医薬品が、患者の皮膚に施される、請求項１乃至２２及び２４乃至２９のいずれか一項に記載の接着性経皮パッチである使用。
【請求項３１】
化学療法により誘発された悪心及び嘔吐の処置又は予防のための医薬品の製造におけるグラニセトロンの使用であって、
前記医薬品が、患者の皮膚に施される、請求項１乃至２２及び２４乃至２９のいずれか一項に記載の接着性経皮パッチである使用。
【請求項３２】
掻痒、線維筋痛及びそれに付随する疼痛、偏頭痛、不安、認識障害及び精神病性障害、鬱病、精神分裂病、産後鬱病における精神病、過敏性腸症候群、アルコール中毒症、閉塞性睡眠時呼吸障害、乗り物酔い、アルツハイマー病等の認識機能の喪失、尿失禁、ジスキネジア、全身性エリテマトーデス、薬物性の掻痒、早期射精、摂食障害、強迫性障害、胃運動障害、慢性疲労症候群、消化不良並びにコカイン依存症から選択される状態の処置又は予防のための医薬品の製造におけるグラニセトロンの使用であって、
前記医薬品が、患者の皮膚に施される、請求項１乃至１４及び２３乃至２９のいずれか一項に記載の接着性経皮パッチである使用。
【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
被検体に有効量のインテグリンαｖβ３特異抗体を投与することにより、関節置換の無菌的弛緩、歯周疾患、ゴーラム−スタウト病、ウィルソン病、慢性中耳炎あるいは肥大性肺性骨関節症又はこれらに関連する症候若しくは症状を治療、管理又は緩和する医薬の製造のための、前記インテグリンαｖβ３特異抗体の使用。
【請求項２】
ａ）被験体に有効量のインテグリンαｖβ３特異抗体を投与し、かつ
ｂ）前記被検体に治療有効量のインテグリンαｖβ３特異抗体以外の治療剤を投与することにより、
関節置換の無菌的弛緩、歯周疾患、ゴーラム−スタウト病、ウィルソン病、慢性中耳炎あるいは肥大性肺性骨関節症又はこれらに関連する症候若しくは症状を治療、管理又は緩和する医薬の製造のための、インテグリンαｖβ３特異抗体の使用。
【請求項３】
前記疾患が関節置換の無菌的弛緩である、請求項１に記載の使用。
【請求項４】
前記疾患が関節置換の無菌的弛緩である、請求項２に記載の使用。
【請求項５】
前記疾患が歯周疾患である、請求項１に記載の使用。
【請求項６】
前記疾患が歯周疾患である、請求項２に記載の使用。
【請求項７】
前記疾患がゴーラム−スタウト病である、請求項１に記載の使用。
【請求項８】
前記疾患がゴーラム−スタウト病である、請求項２に記載の使用。
【請求項９】
前記疾患がウィルソン病である、請求項１に記載の使用。
【請求項１０】
前記疾患がウィルソン病である、請求項２に記載の使用。
【請求項１１】
前記疾患が慢性中耳炎である、請求項１に記載の使用。
【請求項１２】
前記疾患が慢性中耳炎である、請求項２に記載の使用。
【請求項１３】
前記疾患が肥大性肺性骨関節症である、請求項１に記載の使用。
【請求項１４】
前記疾患が肥大性肺性骨関節症である、請求項２に記載の使用。
【請求項１５】
前記被験体に対して手術を実施するステップをさらに含む、請求項１又は２に記載の使用。
【請求項１６】
前記被験体に対して歯科手術を実施するステップをさらに含む、請求項５又は６に記載の使用。
【請求項１７】
前記治療剤が骨代謝調節剤である、請求項４、６、８、１２又は１４に記載の使用。
【請求項１８】
前記骨代謝調節剤がビスホスフォネート又はビタミンＤ化合物である、請求項１７に記載の使用。
【請求項１９】
前記治療剤が、鎮痛剤、免疫調節剤又は抗炎症剤である、請求項２に記載の使用。
【請求項２０】
前記鎮痛剤が、非ステロイド性抗炎症薬、サリチレート又はアセトミノフェンである、請求項１９に記載の使用。
【請求項２１】
前記治療剤が抗生物質である、請求項４、６、１２又は１４に記載の使用。
【請求項２２】
前記抗生物質が、ペニシリン、テトラサイクリン、ストレプトマイシン、ゲンタマイシン又はネオマイシンである、請求項２１に記載の使用。
【請求項２３】
前記治療剤が抗炎症剤である、請求項１９に記載の使用。
【請求項２４】
前記抗炎症剤が非ステロイド性抗炎症薬である、請求項２３に記載の使用。
【請求項２５】
前記インテグリンαｖβ３特異抗体が非経口投与される、請求項１又は２に記載の使用。
【請求項２６】
前記インテグリンαｖβ３特異抗体が経口投与又は局所投与される、請求項１又は２に記載の使用。
【請求項２７】
前記インテグリンαｖβ３特異抗体が、練り歯磨き又は歯肉に塗布されるゲルとして投与される、請求項５又は６に記載の使用。
【請求項２８】
前記歯周疾患が、歯肉炎、歯周炎又は歯周症である、請求項５又は６に記載の使用。
【請求項２９】
前記インテグリンαｖβ３特異抗体が、インテグリンαｖβ３に免疫特異的に結合する抗体又は抗体フラグメントである、請求項１又は２に記載の使用。
【請求項３０】
前記インテグリンαｖβ３特異抗体が、治療部分に結合された抗体又は抗体フラグメントである、請求項１又は２に記載の使用。
【請求項３１】
前記インテグリンαｖβ３特異抗体が、ＶＩＴＡＸＩＮ（登録商標）又はその抗原結合フラグメントである、請求項１又は２に記載の使用。
【請求項３２】
前記インテグリンαｖβ３特異抗体が、治療部分に結合されたＶＩＴＡＸＩＮ（登録商標）又はその抗原結合フラグメントである、請求項１又は２に記載の使用。
【請求項３３】
前記被験体がヒトである、請求項１又は２に記載の使用。
【請求項３４】
包装材料、前記包装材料内に含まれた指示書及びヒトへの投与に適した形態の医薬組成物を含む製品であって、前記医薬組成物はインテグリンαｖβ３特異抗体及び薬学的に許容される担体を含み、前記指示書が、疾患又はそれに関連する症候若しくは症状の予防、治療、管理又は緩和のための投薬方法を示し、前記疾患が、関節置換の無菌的弛緩、歯周疾患、ゴーラム−スタウト病、ウィルソン病、慢性中耳炎又は肥大性肺性骨関節症である、上記製品。
【請求項３５】
包装材料、前記包装材料内に含まれた指示書及びヒトへの投与に適した形態の２つの医薬組成物を含む製品であって、第１の医薬組成物はインテグリンαｖβ３特異抗体及び薬学的に許容される担体を含み、第２の医薬組成物はインテグリンαｖβ３特異抗体以外の予防薬又は治療薬及び薬学的に許容される担体を含み、前記指示書が、疾患又はそれに関連する症候若しくは症状の予防、治療、管理又は緩和のための投薬方法を示し、前記疾患が、関節置換の無菌的弛緩、歯周疾患、ゴーラム−スタウト病、ウィルソン病、慢性中耳炎又は肥大性肺性骨関節症である、上記製品。
【請求項３６】
前記インテグリンαｖβ３特異抗体が、インテグリンαｖβ３に免疫特異的に結合する抗体又は抗体フラグメントである、請求項３４又は３５に記載の製品。
【請求項３７】
前記抗体又は抗体フラグメントが治療部分に結合されている、請求項３６に記載の製品。
【請求項３８】
前記インテグリンαｖβ３特異抗体が、ＶＩＴＡＸＩＮ（登録商標）又はその抗原結合フラグメントである、請求項３４又は３５に記載の製品。
【請求項３９】
前記インテグリンαｖβ３特異抗体が、治療部分に結合されたＶＩＴＡＸＩＮ（登録商標）又はその抗原結合フラグメントである、請求項３４又は３５に記載の製品。
【請求項４０】
インテグリンαｖβ３特異抗体以外の前記予防薬又は治療薬が、鎮痛剤、抗炎症剤又は免疫調節剤である、請求項３５に記載の製品。
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
複数の別個の外側布帛パネルを含む外側布帛層を含み、かかる複数のパネルが各端部に沿って視認性の向上していないパネルに縫製された少なくとも第１の視認性の向上したパネルを含み、前記第１の視認性の向上したパネルが視認性向上材料のパターンの面積の少なくとも５０％に直接または永続的に適用された加工面を有する、修理可能な保護衣服。
【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
ファイバーを含む材料であって、汚染防止装置に使用するのに好適な前記材料を有する薄肉構造体、
前記薄肉構造体の少なくとも１つの主表面に接合されて、前記少なくとも１つの主表面を被覆し、かつ前記材料に浸透して、前記薄肉構造体に少なくとも機械的に接合している中間接着剤、および
前記薄肉構造体の反対側で前記中間接着剤に接合している感圧接着剤、
を有する、汚染防止装置において用いるためのシステム。
【請求項２】
前記システムが汚染防止装置の一部を断熱するのに好適な断熱体である、請求項１に記載のシステム。
【請求項３】
前記システムが汚染防止要素を装着するのに好適な装着マットである、請求項１に記載のシステム。
【請求項４】
前記材料が膨張性材料をさらに含む、請求項１に記載のシステム。
【請求項５】
前記システムが非膨張性システムである、請求項１に記載のシステム。
【請求項６】
前記中間接着剤が、熱活性化接着剤、ホットメルト接着剤、接着剤状熱可塑性材料またはこれらの組み合わせのうちの１または複数である、請求項１に記載のシステム。
【請求項７】
前記感圧接着剤が、前記感圧接着剤の間に挟まれているか、上部にあるフィルム、スクリム、織布または不織布で前記中間接着剤に接合している、請求項１に記載のシステム。
【請求項８】
請求項１〜７のいずれかに記載の前記システムを有する、汚染防止装置。
【請求項９】
請求項８に記載の前記汚染防止装置を有する、内燃機関用排気システム。
【請求項１０】
請求項１〜７のいずれかに記載のシステムを提供すること、
汚染防止装置のための筐体を提供すること、
感圧接着剤を用いて薄肉構造体を前記筐体の内側表面に接合することによって、システムを固定すること、
を含む、汚染防止装置の製造方法。
【手続補正書】
【提出日】平成18年12月12日(2006.12.12)
【手続補正１】
【補正対象書類名】明細書
【補正対象項目名】００５７
【補正方法】変更
【補正の内容】
【００５７】
凝固時間は、前記のように測定した。表９は、４６６ｘ１０３μＬから１４２８ｘ１０３μＬの範囲の値の濃縮血小板の凝固時間を比較している。自己トロンビンに対する濃縮血小板の混合比が３：１において、自己トロンビンで得られた前記凝固時間の平均は、９．１７±１．７秒だった。２５０ｕ／ｍＬのウシトロンビン濃度で、対応する平均凝固時間（９．００ｘ１．７秒）が得られた。ウシトロンビンの実験が、１０：１（濃縮血漿：トロンビン）の混合比で行われていることを考慮すると、自己トロンビンは、２５ｕｎｉｔｓ／ｍＬのウシトロンビンと同等であることを示している。表９に示すように、５：１の比率の自己トロンビンの凝固時間（１０．８３秒）は、同様な範囲にある。
【表９】
2006516630.tif 000001
［精製ヒトフィブリノーゲンの異なる濃度での凝固時間］
【手続補正書】
【提出日】平成18年11月27日(2006.11.27)
【手続補正１】
【補正対象書類名】明細書
【補正対象項目名】０００８
【補正方法】変更
【補正の内容】
【０００８】
種々の物質との包接錯体形成能力を保持しつつ安全性を向上させるための親シクロデキストリンの修飾が非常に多くの研究グループの目的とされてきた。最も重要なシクロデキストリン誘導体は次のものである：ヒドロキシプロピルβ−シクロデキストリン、グルクロニルグルコシルβ−シクロデキストリン、スルホブチルエーテルβ−シクロデキストリンおよびメチル化β−シクロデキストリン。これらの修飾されたシクロデキストリンおよび親シクロデキストリンは、種々の用法（即ち非経口、経口、バッカル、眼、鼻、表皮、直腸および肺経路）における難水溶性薬物の溶解度問題を克服するにおいて処方者(formulator)を補助してきた。幾つかのシクロデキストリンは、例えばスポラノックス（ヤンセン）、ゼルドックス／ジオドン（ファイザー）、およびブイフェンド（ファイザー）といった医薬品での使用が認められてきたが、処方者の集積（arsenal）に寄与するために更なるシクロデキストリンを発見する必要性がある。シクロデキストリンは全ての溶解度の問題の解決策ではないが、それらは他の可溶化技術よりも高い可能性を確実に有する。
【特許文献１】米国特許第６，８２８，３３４号
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
過敏性大腸症候群又は神経性胃炎の治療用医薬品であり、式（Ｉ）の化合物又はその医薬的に適用可能な塩を含む医薬品；
【化１】
2006516643.tif 000001
・・（Ｉ）
但し：Ａは下記基から選ばれる架橋基であり：−（ＣＨ2）m−、−ＣＨ＝ＣＨ−、−（ＣＨ2）p−Ｏ−、−（ＣＨ2）p−Ｓ−、−（ＣＨ2）p−ＳＯ2−、−（ＣＨ2）p−ＮＲ1−及び−ＳＯ2−ＮＲ2−：但し、ｍは１〜３の整数（限界値を含む）であり；ｐは１及び２から選ばれる整数であり；Ｒ1は水素及びＣ1−Ｃ5アルキルの群から選ばれ；並びにＲ2はＣ1−Ｃ5アルキルであり；
Ｘ及びＹは独立して水素及びハロゲンの群から選ばれ；
Ｒ及びＲ’は独立して水素及びＣ1−Ｃ5アルキルの群から選ばれ；
ｎは１〜１２の整数（限界値を含む）であり；並びに
＊は不斉炭素を示し、
【化２】
2006516643.tif 000002
で表される結合は不斉炭素へ結合する４個の基全てが非同一の場合のみ、不斉炭素に関する絶対配置が（Ｒ）又は（Ｓ）のいずれかであることを示す。
【請求項２】
上記Ａは−ＳＯ2−ＮＲ2−である請求項１の医薬品。
【請求項３】
上記Ｒ及びＲ’は水素である請求項２の医薬品。
【請求項４】
式（Ｉ）の化合物はチアネプチン又はその医薬的に適用可能な塩である請求項３の医薬品。
【請求項５】
上記化合物は対応する（Ｓ）−エナンチオマーから実質的にフリーな（Ｒ）−チアネプチンである請求項４の医薬品。
【請求項６】
上記化合物は対応する（Ｒ）−エナンチオマーから実質的にフリーな（Ｓ）−チアネプチンである請求項４の医薬品。
【手続補正２】
【補正対象書類名】明細書
【補正対象項目名】００３８
【補正方法】変更
【補正の内容】
【００３８】
本発明の研究用に、メス４８頭、６週齢スイスウェブスターマウス（１８〜３０ｇ）を下記試験群に分けた。３個の治療群は、それぞれ、１０ｍｇ／ｋｇチアネプチン（ｎ＝９）、３０ｍｇ／ｋｇチアネプチン（ｎ＝１０）、及び６０ｍｇ／ｋｇチアネプチン（ｎ＝１０）を摂取した；１のコントロール群は１０ｍｇ／ｋｇの止瀉薬ロペラミド（ｎ＝９）を摂取した；そして１のコントロール群は賦形剤(vehicle)（ｎ＝１０）のみを摂取した。それぞれの動物は、チアネプチン、ロペラミド又は賦形剤のいずれかを経口で、適切に投与された。
投与３０分後、３ｍｍガラスビーズをガラス棒を使用してそれぞれの動物の肛門から遠位結腸中へ深さ２ｃｍで挿入した。動物のビーズ排出を観察し、排出時間を記録した。ビーズ挿入後６０分の締め切り時間内にビーズを排出しなかった動物を犠牲にし、結腸管腔内のビーズ位置を確認した。それぞれの群の排出時間について平均及び平均の標準誤差（SEM)を算出した。結果を下記表１にまとめた。
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
下式Ｉ
【化１】
2006516641.tif 000001
〔式中、Ｒ１は任意で置換されたアルキル、任意で置換されたシクロアルキル、任意で置換されたヘテロシクリル、任意で置換されたアリール、または任意で置換されたヘテロアリール；
Ｒ２は水素、ハロゲン、トリフルオロメチル、任意で置換されたアシル、またはシアノ；
Ｒ３はヒドロキシメチルまたはＲ４Ｒ５Ｎ(Ｏ)Ｃ-であって、ここでＲ４およびＲ５は独立して水素または任意で置換されたアルキルである。〕
の化合物。
【請求項２】
Ｒ３がヒドロキシメチルである、請求項1の化合物。
【請求項３】
Ｒ１が任意で置換されたヘテロシクロルまたは任意で置換されたシクロアルキルである、請求項２の化合物。
【請求項４】
Ｒ２が水素またはハロゲンである、請求項３の化合物。
【請求項５】
Ｒ１が任意で置換されたシクロアルキルである、請求項４の化合物。
【請求項６】
2-6-[((1R)-2-ヒドロキシシクロヘキシル)アミノ]プリン-9-イル}(5S,2R,3R)-5-(ヒドロキシメチル)オキソラン-3-オール;
2-6-[((1R)-2-ヒドロキシシクロヘキシル)アミノ]プリン-9-イル}(5S,2R,3R)-5-(ヒドロキシメチル)オキソラン-3-オール; 
(5S,2R,3R)-2-{6-[((1S,2S)-2-ヒドロキシシクロペンチル)アミノ]プリン-9-イル}-5-(ヒドロキシメチル)オキソラン-3-オール;および
(2-{6-[((1R)-2-ヒドロキシシクロペンチル)アミノ]-2-クロロプリン-9-イル}(5S,2R,3R)-5-(ヒドロキシメチル)オキソラン-3-オール 
よりなる群から選択される、請求項５の化合物。
【請求項７】
Ｒ１が任意で置換されたヘテロシクリル基である、請求項４の化合物。
【請求項８】
Ｒ１が、少なくとも一つの窒素若しくは酸素のヘテロ原子を含む、任意で置換された５員環である、請求項７の化合物。
【請求項９】
Ｒ１が任意で置換されたピロリジニル基である、請求項８の化合物。
【請求項１０】
Ｒ１がＲ″-Ｘ-の構造を有する置換基で置換され、Ｒ″が任意で置換されたアリールまたは任意で置換されたアルキルであり、Ｘがカルボニルまたはスルホニルである、請求項９の化合物。
【請求項１１】
Ｒ″が任意で置換されたフェニルである、請求項１０の化合物。
【請求項１２】
(3R)-3-({9-[(5S,2R,3R)-3-ヒドロキシ-5-ヒドロキシメチル)オキソラン-2-イル]プリン-6-イル}アミノ)ピロリジニル フェニル ケトン;
(3R)-3-[{9-[(5S,2R,3R)-3-ヒドロキシ-5-ヒドロキシメチル)オキソラン-2-イル]プリン-6-イル}アミノ)ピロリジニル 4-フルオロフェニルケトン;
4-{[(3R)-3-({9-[(5S,2R,3R)-3-ヒドロキシ-5-ヒドロキシメチル）オキソラン-2-イル]プリン-6-イル}アミノ)ピロリジニル]カルボニル}ベンゼンカルボニトリル;
(3R)-3-({9-[(5S,2R,3R)-3-ヒドロキシ-5-ヒドロキシメチル)オキソラン-2-イル]プリン-6-イル}アミノ)ピロリジニル 4-メトキシフェニルケトン;
(3R)-3-({9-[(5S,2R,3R)-3-ヒドロキシ-5-ヒドロキシメチル)オキソラン-2-イル]プリン-6-イル}アミノ)ピロリジニル 4-(トリフルオロメチル)フェニル ケトン; 
(3R)-3-({9-[(5S,2R,3R)-3-ヒドロキシ-5-ヒドロキシメチル)オキソラン-2-イル]プリン-6-イル}アミノ)ピロリジニル 4-エチルフェニルケトン;
(3R)-3-({9-[(5S,2R,3R)-3-ヒドロキシ-5-ヒドロキシメチル)オキソラン-2-イル]プリン-6-イル}アミノ)ピロリジニル 3-フルオロフェニルケトン; 
(3R)-3-({9-[(5S,2R,3R)-3-ヒドロキシ-5-ヒドロキシメチル)オキソラン-2-イル]プリン-6-イル}アミノ)-1-(フェニルスルホニル)ピロリジン;および
(3R)-3-({9-[(5S,2R,3R)-3-ヒドロキシ-5-(ヒドロキシメチル)オキソラン-2-イル]プリン-6-イル}アミノ)ピロリジニル 2-フルオロフェニルケトンよりなる群から選択される、化合物。
【請求項１３】
Ｒ″が任意で置換されたナフタレンである、請求項１０の化合物。
【請求項１４】
(3R)-3-({9-[(5S,2R,3R)-3-ヒドロキシ-5-(ヒドロキシメチル)オキソラン-2-イル]プリン-6-イル}アミノ)ピロリジニル 2-ナフチルケトン、および(3R)-3-({9-[(5S,2R,3R)-3-ヒドロキシ-5-(ヒドロキシメチル)オキソラン-2-イル]プリン-6-イル}アミノ)ピロリジニル ナフチルケトンよりなる群から選択される請求項１３の化合物。
【請求項１５】
Ｒ″がＣ１−Ｃ８アルキルである、請求項１０の化合物。
【請求項１６】
(3R)-3-({9-[(5S,2R,3R)-3-ヒドロキシ-5-(ヒドロキシメチル)オキソラン-2-イル]プリン-6-イル}アミノ)-l-アセチルピロリジン;
1-[(3R)-3-({9-[(5S,2R,3R)-3-ヒドロキシ-5-(ヒドロキシメチル)オキソラン-2-イル]プリン-6-イル}アミノ)ピロリジニル]-2-メチルプロパン-1-オン ;
l-[(3R)-3-({9-[(5S,2R,3R)-3-ヒドロキシ-5-(ヒドロキシメチル)オキソラン-2-イル]プリン-6-イル}アミノ)ピロリジニル]ヘプタン-1-オン ;
(3R)-3-({9-[(5S,2R,3R)-3-ヒドロキシ-5-(ヒドロキシメチル)オキソラン-2-イル]-2-クロロプリン-6-イル}アミノ)-1-アセチルピロリジン;および
1-[(3R)-3-({9-[(5S,2R,3R)-3-ヒドロキシ-5-(ヒドロキシメチル)オキソラン-2-イル]-2-クロロプリン-6-イル}アミノ)ピロリジニル]ヘプタン-1-オンよりなる群から選択される、請求項５の化合物。
【請求項１７】
Ｒ１が任意で置換されたオキソラン基である、請求項８の化合物。
【請求項１８】
2-{6-[((3R)オキソラン-3-イル)アミノ]プリン-9-イル}(5S,2R,3R)-5-(ヒドロキシメチル)オキソラン-3-オールである、請求項１７の化合物。
【請求項１９】
少なくとも一つの薬学的に許容される賦形剤および請求項１の化合物の治療上の有効量を含む、薬学的組成物。
【請求項２０】
アデノシンＡ１受容体の部分アゴニストまたは完全アゴニストによる治療で軽減され得る哺乳類の症状を治療するための、請求項１の化合物を有効成分とする薬学的組成物。
【請求項２１】
該症状が心房細動、上室性頻脈、心粗動、うっ血性心不全、てんかん、脳梗塞、糖尿病、肥満、虚血、安定性狭心症、不安定性狭心症、心臓移植、および心筋梗塞から選択される、請求項２０の組成物。
【請求項２２】
該症状が高脂血症である、請求項２０の組成物。
【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
フェンタニルの経口経粘膜送達のための糖を含まない製薬学的組成物であって、該糖を含まない組成物が５．０重量％より少ない糖を含有し且つ経口経粘膜固体投薬剤形の形態であり、該組成物が、
（ａ）  フェンタニルまたはその製薬学的に許容可能な塩；
（ｂ）  イソマルト；
（ｃ）  ４０００〜８０００の平均分子量を有するポリエチレングリコール；および
（ｄ）  フェンタニルの或いはその製薬学的に許容される塩の一部を、固体経口経粘膜投薬剤形の唾液中への溶解時にイオン化された状態に保つのに充分な量の緩衝剤、
を含んでなり、
ここで、経口経粘膜固体投薬剤形が、糖を含有する経口経粘膜固体投薬剤形と生物学的同等性である、
上記糖を含まない製薬学的組成物。
【請求項２】
該糖を含有する経口経粘膜固体投薬剤形が、スクロース、グルコースまたはそれらの組み合わせを含有する、請求項１に記載の組成物。
【請求項３】
該糖を含有する経口経粘膜固体投薬剤形が、乾燥重量基準で、約９０重量％より多い糖を含有する、請求項１に記載の組成物。
【請求項４】
該緩衝剤が、唾液中への溶解時に該投薬剤形のｐＨを約６．０〜約７．４の水準に保つ、請求項１に記載の組成物。
【請求項５】
該緩衝剤が、唾液中への溶解時に該投薬剤形のｐＨを約６．１〜約７．０の水準に保つ、請求項１に記載の組成物。
【請求項６】
該緩衝剤が、唾液中への溶解時に該投薬剤形のｐＨを約６．３〜約６．６の水準に保つ、請求項１に記載の組成物。
【請求項７】
該緩衝剤が、クエン酸−燐酸水素二ナトリウム、燐酸二水素カリウム−燐酸水素二ナトリウム、マレイン酸二ナトリウム塩−塩酸、燐酸二水素カリウム−水酸化ナトリウム、燐酸二水素ナトリウム−燐酸水素二ナトリウム、およびマレイン酸トリス酸−水酸化ナトリウムからなる群から選択される、請求項１に記載の組成物。
【請求項８】
該緩衝剤が、燐酸のナトリウムもしくはカリウム塩の組み合わせ、または燐酸の一もしくは二塩およびクエン酸の組み合わせである、請求項１に記載の組成物。
【請求項９】
該糖を含まない経口経粘膜固体投薬剤形に固定されたハンドルをさらに含んでなる、請求項１−３の１項に記載の組成物。
【請求項１０】
該賦形剤が粉末の形態であり、そして該組成物が圧縮粉末状の糖を含まない経口経粘膜固体投薬剤形の形態である、請求項１−３の１項に記載の組成物。
【請求項１１】
該組成物が硬いキャンディー状の糖を含まない経口経粘膜固体投薬剤形の形態である、請求項１−３の１項に記載の組成物。
【請求項１２】
該経口経粘膜固体投薬剤形がフェンタニルをフェンタニル塩として約５０μｇ〜約５０００μｇのフェンタニル遊離塩基に相当する量で含有する、請求項１に記載の組成物。
【請求項１３】
該経口経粘膜固体投薬剤形がフェンタニルをフェンタニル塩として約５０μｇ〜約３２００μｇのフェンタニル遊離塩基に相当する量で含有する、請求項１に記載の組成物。
【請求項１４】
該経口経粘膜固体投薬剤形がフェンタニルをフェンタニル塩として約５０μｇ〜約２４００μｇのフェンタニル遊離塩基に相当する量で含有する、請求項１に記載の組成物。
【請求項１５】
該経口経粘膜固体投薬剤形がフェンタニルをフェンタニル塩として約１００μｇ〜約１６００μｇのフェンタニル遊離塩基に相当する量で含有する、請求項１に記載の組成物。
【請求項１６】
該フェンタニル塩がクエン酸フェンタニルである、請求項１５に記載の組成物。
【請求項１７】
１）フェンタニルがクエン酸フェンタニルとして０．０１６〜０．１２６重量％に相当する量で存在し、
２）賦形剤が９０．８８〜９７．９８重量％に相当する量で存在し、
３）緩衝剤が１〜５重量％に相当し且つ唾液中への溶解時に該投薬剤形のｐＨを約６．３〜約６．６の水準に保つのに充分な量で存在し、そして
４）０．５〜２重量％に相当する量で存在する潤滑剤をさらに含んでなる、
請求項１に記載の組成物。
【請求項１８】
１）フェンタニルがクエン酸フェンタニルとして０．０１６〜０．１２６重量％に相当する量で存在し、
２）賦形剤が７６．０〜８６．０重量％に相当する量で存在し、
３）緩衝剤がクエン酸として１．４〜１．５重量％に相当する量の二塩基性燐酸ナトリウムと組み合わされて０．５〜０．６重量％に相当し且つ唾液中への溶解時に該投薬剤形のｐＨを約６．３〜約６．６の水準に保つのに充分な量で存在し、そして
４）９．５〜１９．０重量％に相当する量でポリエチレングリコール８０００として存在する結合剤をさらに含んでなり、そして
５）１．０重量％に相当する量でステアリン酸マグネシウムとして存在する潤滑剤をさらに含んでなる、
請求項１に記載の組成物。
【請求項１９】
患者の口粘膜組織を通す吸収により糖を含まない投薬剤形中の薬剤を患者に経口経粘膜送達するための、請求項１−１８の１項に記載の組成物。
【請求項２０】
患者の口粘膜組織を通す吸収により糖を含まない投薬剤形中のフェンタニルを患者に経口経粘膜送達するための、請求項１に記載の組成物。
【請求項２１】
疼痛を処置するための医薬の製造における、請求項１に記載の糖を含まない経口経粘膜固体投薬剤形の使用。
【請求項２２】
疼痛が破過疼痛である、請求項２１に記載の方法。
【請求項２３】
疼痛が慢性疼痛である、請求項２１に記載の方法。
【請求項２４】
疼痛が片頭痛である、請求項２１に記載の方法。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
（ａ）配列番号５のポリペプチド；
（ｂ）配列番号５のポリペプチドであって、その関連シグナルペプチドを欠くもの；又は
（ｃ）配列番号２のヌクレオチド配列によってコードされるポリペプチド
に対して少なくとも９５％のアミノ酸配列同一性を有するタンパク質を発現する細胞の成長を抑制する方法であって、前記細胞に対し、前記タンパク質に結合する抗体を接触させることを含み、前記タンパク質への前記抗体の結合によって前記細胞の成長を抑制する方法。
【請求項２】
前記抗体がモノクローナル抗体である、請求項１に記載の方法。
【請求項３】
前記抗体が抗体断片である、請求項１に記載の方法。
【請求項４】
前記抗体がキメラ、ヒト化、又はヒト抗体である、請求項１に記載の方法。
【請求項５】
前記抗体が成長抑制剤と結合した、請求項１に記載の方法。
【請求項６】
前記抗体が細胞障害性剤に抱合した、請求項１に記載の方法。
【請求項７】
前記細胞障害性剤が、毒素、抗生物質、放射性同位元素又は核溶解性酵素である、請求項６に記載の方法。
【請求項８】
細胞障害性剤が毒素である、請求項７に記載の方法。
【請求項９】
毒素が、メイタンシノイド又はカリケアマイシンである、請求項８に記載の方法。
【請求項１０】
毒素がメイタンシノイドである、請求項９に記載の方法。
【請求項１１】
前記抗体が細菌中において生成される、請求項１に記載の方法。
【請求項１２】
前記抗体がＣＨＯ細胞中において生成される、請求項１に記載の方法。
【請求項１３】
前記細胞が癌細胞である、請求項１に記載の方法。
【請求項１４】
前記癌細胞をさらに放射線治療又は化学療法剤に曝す、請求項１３に記載の方法。
【請求項１５】
前記癌細胞が、乳癌細胞、結腸直腸癌細胞、肺癌細胞、又は卵巣癌細胞である、請求項１３に記載の方法。
【請求項１６】
前記タンパク質が、同じ組織由来の正常細胞と比較して癌細胞によってより豊富に発現される、請求項１３に記載の方法。
【請求項１７】
前記抗体が細胞死を引き起こす請求項１に記載の方法。
【請求項１８】
タンパク質が、
（ａ）配列番号５のアミノ酸配列；
（ｂ）配列番号５のアミノ酸配列であって、その関連シグナルペプチド配列を欠くもの；又は
（ｃ）配列番号２のヌクレオチド配列によってコードされるアミノ酸配列
を含んでなる、請求項１に記載の方法。
【請求項１９】
前記タンパク質がシスタチン活性を有する、請求項１に記載の方法。
【請求項２０】
（ａ）配列番号４のポリペプチド；
（ｂ）配列番号４のポリペプチドであって、その関連シグナルペプチドを欠くもの；又は
（ｃ）配列番号１のヌクレオチド配列によってコードされるポリペプチド
に対して少なくとも９５％のアミノ酸配列同一性を有するタンパク質を発現する細胞の成長を抑制する方法であって、前記細胞に対し、前記タンパク質に結合する抗体を接触させることを含み、前記タンパク質への前記抗体の結合によって前記細胞の成長を抑制する方法。
【請求項２１】
前記抗体がモノクローナル抗体である、請求項２０に記載の方法。
【請求項２２】
前記抗体が抗体断片である、請求項２０に記載の方法。
【請求項２３】
前記抗体がキメラ、ヒト化、又はヒト抗体である、請求項２０に記載の方法。
【請求項２４】
前記抗体が成長抑制剤と結合した、請求項２０に記載の方法。
【請求項２５】
前記抗体が細胞障害性剤に抱合した、請求項２０に記載の方法。
【請求項２６】
前記細胞障害性剤が、毒素、抗生物質、放射性同位元素又は核溶解性酵素である、請求項２５に記載の方法。
【請求項２７】
細胞障害性剤が毒素である、請求項２６に記載の方法。
【請求項２８】
毒素が、メイタンシノイド又はカリケアマイシンである、請求項２７に記載の方法。
【請求項２９】
毒素がメイタンシノイドである、請求項２８に記載の方法。
【請求項３０】
前記抗体が細菌中において生成される、請求項２０に記載の方法。
【請求項３１】
前記抗体がＣＨＯ細胞中において生成される、請求項２０に記載の方法。
【請求項３２】
前記細胞が癌細胞である、請求項２０に記載の方法。
【請求項３３】
前記癌細胞をさらに放射線治療又は化学療法剤に曝す、請求項３２に記載の方法。
【請求項３４】
前記癌細胞が、乳癌細胞、結腸直腸癌細胞、肺癌細胞、膀胱癌細胞、又は卵巣癌細胞である、請求項３２に記載の方法。
【請求項３５】
前記タンパク質が、同じ組織由来の正常細胞と比較して癌細胞によってより豊富に発現される、請求項３２に記載の方法。
【請求項３６】
前記抗体が細胞死を引き起こす請求項２０に記載の方法。
【請求項３７】
タンパク質が、
（ａ）配列番号４のアミノ酸配列；
（ｂ）配列番号４のアミノ酸配列であって、その関連シグナルペプチド配列を欠くもの；又は
（ｃ）配列番号１のヌクレオチド配列によってコードされるアミノ酸配列
を含んでなる、請求項２０に記載の方法。
【請求項３８】
前記タンパク質がシスタチン活性を有する、請求項２０に記載の方法。
【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
産後精神病の症状の改善を必要とする患者において該産後精神病の症状を改善するための組成物であって、該組成物は該産後精神病の症状を改善するのに有効な量の糖質コルチコイドレセプターアンタゴニストを含み、ただし、最初の精神病症状は、出産の９ヶ月以内に起こり、該患者は、出産により誘発されないいかなる精神病状態も患っておらず、そして該患者は、分娩前に精神病に患っていなかった、組成物。
【請求項２】
前記最初の精神病症状が、出産の８週間以内に起こる、請求項１に記載の組成物。
【請求項３】
前記糖質コルチコイドレセプターアンタゴニストが、ステロイド骨格の１１−β位において少なくとも一つのフェニル含有部分を有する該ステロイド骨格を含む、請求項１に記載の組成物。
【請求項４】
前記ステロイド骨格の１１−β位における前記フェニル含有部分が、ジメチルアミノフェニル部分である、請求項３に記載の組成物。
【請求項５】
前記糖質コルチコイドレセプターアンタゴニストがミフェプリストンを含む、請求項４に記載の組成物。
【請求項６】
前記糖質コルチコイドレセプターアンタゴニストが、１１β−（４−ジメチルアミノエトキシフェニル）−１７α−プロピニル−１７β−ヒドロキシ−４，９エストラジエン−３−オンおよび１７β−ヒドロキシ−１７α−１９−（４−メチルフェニル）アンドロスタ−４，９（１１）−ジエン−３−オンからなる群から選択される、請求項４に記載の組成物。
【請求項７】
前記糖質コルチコイドレセプターアンタゴニストが、４α（Ｓ）−ベンジル−２（Ｒ）−プロプ−１−イニル−１，２，３，４，４α，９，１０，１０α（Ｒ）−オクタヒドロ−フェナントレン−２，７−ジオールおよび４α（Ｓ）−ベンジル−２（Ｒ）−クロロエチニル−１，２，３，４，４α，９，１０，１０α（Ｒ）−オクタヒドロ−フェナントレン−２，７−ジオールからなる群より選択される、請求項１に記載の組成物。
【請求項８】
前記糖質コルチコイドレセプターアンタゴニストが、（１１β，１７β）−１１−（１，３−ベンゾジオキソール−５−イル）−１７−ヒドロキシ−１７−（１−プロピニル）エストラ−４，９−ジエン−３−オンである、請求項１に記載の組成物。
【請求項９】
前記組成物が、１日あたり１回の投与に適切である、請求項１に記載の組成物。
【請求項１０】
前記組成物が、経口投与に適切である、請求項１に記載の組成物。
【請求項１１】
前記組成物が、経皮適用によるか、霧状化懸濁物によるか、またはエアゾールスプレーによる投与に適切である、請求項１に記載の組成物。
【請求項１２】
ヒトにおいて産後精神病を処置するためのキットであって、該キットは：
（ｉ）特異的糖質コルチコイドレセプターアンタゴニスト；ならびに、
（ｉｉ）産後精神病を有する患者への該糖質コルチコイドレセプターアンタゴニストの適応症、投与量、および投与スケジュールを教示する指示書；
を備える、キット。
【請求項１３】
前記糖質コルチコイドレセプターアンタゴニストがミフェプリストンである、請求項１２に記載のキット。
【請求項１４】
前記ミフェプリストンが錠剤形態にある、請求項１２に記載のキット。
【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
基材上に液体として塗布されかつ該基材上にペイントコーティングを形成する水性塗料を硬化する方法であって、該方法が
（ａ）被覆基材を塗料中の水の沸点以下である温度に加熱し、その温度で保持して、塗料からある量の塗料における水を蒸発させて、次に続く硬化段階の後で基材上のペイントコーティングの溶媒煮沸（明細書中に記載するように）が実質的にないようにする段階；および
（ｂ）後の硬化段階で段階（ａ）の蒸発温度より高温に基材を加熱し、塗料を硬化する段階
を含むことを特徴とする、水性塗料を硬化する方法。
【請求項２】
段階（ａ）が、塗料において相当な量の水の蒸発を含む、請求項１記載の方法。
【請求項３】
段階（ａ）が、塗料において少なくとも５０重量％の水の蒸発を含む、請求項１記載の方法。
【請求項４】
段階（ａ）が、塗料において少なくとも６０重量％の水の蒸発を含む、請求項１記載の方法。
【請求項５】
段階（ａ）が５秒以内の間、蒸発温度で温度を保持することを含む、従前請求項いずれか１つに記載の方法。
【請求項６】
段階（ａ）が１−５秒間、蒸発温度で温度を保持することを含む、従前請求項いずれか１つに記載の方法。
【請求項７】
段階（ａ）の蒸発温度が、塗料における水の沸点とできるだけ接近している、従前請求項いずれか１つに記載の方法。
【請求項８】
段階（ａ）の蒸発温度が、塗料における水の沸点より少なくとも５℃低くなるよう選択される、従前請求項いずれか１つに記載の方法。
【請求項９】
段階（ａ）の蒸発温度が、塗料における水の沸点より少なくとも５〜１０℃低くなるよう選択される、従前請求項いずれか１つに記載の方法。
【請求項１０】
段階（ａ）が、低い開始温度から蒸発温度に、被覆基材を加熱することを含む、従前請求項いずれか１つに記載の方法。
【請求項１１】
段階（ａ）が、２秒以下で開始温度から蒸発温度まで温度を立ち上げることを含む、従前請求項いずれか１つに記載の方法。
【請求項１２】
段階（ａ）が、０．５−１．５秒で開始温度から蒸発温度までの温度に立ち上げることを含む、従前請求項いずれか１つに記載の方法。
【請求項１３】
段階（ａ）が塗料における水の蒸発を促進するために移動熱風を供給することを含む、従前請求項いずれか１つに記載の方法。
【請求項１４】
段階（ｂ）が、６秒以下で基材を高温に加熱することを含む、従前請求項いずれか１つに記載の方法。
【請求項１５】
段階（ｂ）が、４秒以下で基材を高温に加熱することを含む、従前請求項いずれか１つに記載の方法。
【請求項１６】
段階（ｂ）が、２秒以下で基材を高温に加熱することを含む、従前請求項いずれか１つに記載の方法。
【請求項１７】
段階（ｂ）が、蒸発温度から１８０−２６０℃のピーク金属温度に基材を加熱することを含む、従前請求項いずれか１つに記載の方法。
【請求項１８】
段階（ｂ）が、蒸発温度から１９０−２６０℃のピーク金属温度に基材を加熱することを含む、従前請求項いずれか１つに記載の方法。
【請求項１９】
塗料が、２５−５０固体容量％（高分子材料および顔料）および残りの液体、主として水を含む、従前請求項いずれか１つに記載の方法。
【請求項２０】
１０秒以内に蒸発段階（ａ）および硬化段階（ｂ）で基材を加熱することを含む、従前請求項いずれか１つに記載の方法。
【請求項２１】
８秒以内に段階（ａ）および（ｂ）で基材を加熱することを含む、請求項２０記載の方法。
【請求項２２】
６秒以内に段階（ａ）および（ｂ）で基材を加熱することを含む、請求項２０記載の方法。
【請求項２３】
被覆基材を蒸発オーブン中で連続的に通過させて蒸発オーブン中で蒸発段階（ａ）を行い、その後被覆基材を別の硬化オーブン中で通過させて硬化オーブン中で塗料を硬化することを含む、従前請求項いずれか１つに記載の方法。
【請求項２４】
被覆基材を、蒸発オーブン中で蒸発温度までに加熱し、かつ被覆基材が蒸発オーブンから硬化オーブンへと移動する時間の間、蒸発を継続させることを含む、請求項２０記載の方法。
【請求項２５】
オーブン間の間隔およびオーブン間の基材の動きの速度が、蒸発温度で必要な蒸発量を達成するのに十分な時間があるように選択される、請求項２０記載の方法。
【請求項２６】
基材が、ストリップ上に亜鉛または亜鉛／アルミニウムアロイの被膜を有するスチールストリップである、従前請求項いずれか１つに記載の方法。
【請求項２７】
（ａ）基材上に液体として水性塗料を塗布して基材上にペイントコーティングを形成すること；および
（ｂ）従前請求項いずれか１つに記載の方法に従って塗料を硬化し、基材上にドライペイントコーティングを形成すること
の段階を含む基材上に塗料の被覆の形成方法。
【請求項２８】
（ａ）基材上に金属の被膜を形成すること；
（ｂ）金属被覆基材上に液体として水性塗料を塗布して基材上にペイントコーティングを形成すること；および
（ｃ）従前請求項１〜２６いずれか１つに記載の方法に従って塗料を硬化することおよび基材上にドライペイントコーティングを形成すること、
の段階を含む基材上に塗料の被覆を形成する方法。
【請求項２９】
従前請求項１〜２６いずれか１つに記載の方法により硬化した水性塗料のペイントコーティングを有する、建物のクラッドシートおよび建築業のための別のスチールメタル製品の製造において開始材料としての使用に好適である金属ストリップ。
【請求項３０】
金属被覆ストリップ上で所定のドライペイントコーティング厚のペイントコーティングを形成するためのペイントラインであって、該ペイントラインが
（ａ）金属被覆ストリップ上に液体として水性塗料を塗布して該ストリップ上にペイントコーティングを形成する手段；および
（ｂ）従前請求項１〜２５いずれか１つに記載の方法に従って塗料を硬化して金属被覆されたストリップ上でドライペイントコーティングを製造する手段
を含むことを特徴とするペイントライン。
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
患者の心臓にアクセスするためのガイディングカテーテルシステムであって、
１つの外筒と、
１つのスタイレットと、を含み、
前記外筒が、１つの開口ガイドルーメンと、該外筒の外面に沿って設けられた少なくとも１つのインフレーションルーメンと、該外筒の遠位部分に固定可能に取り付けられた遠位バルーンの少なくとも１つのセグメントであって、該遠位バルーンが該少なくとも１つのインフレーションルーメンと流体連絡しているセグメントと、を含み、
前記スタイレットは前記外筒のガイドルーメン内に配置され、該スタイレットは予備成形された遠位屈曲部を含み、該スタイレットは該外筒の長手軸に沿って該外筒内で回転可能であり、また、該スタイレットの該予備成形された遠位屈曲部は、該スタイレットの回転に伴って該外筒の長手軸の側方へ該外筒を偏向させる寸法に作られていることを特徴とするガイディングカテーテルシステム。
【請求項２】
該外筒が、該外筒の長手軸に沿って設けられたピールアウェイ機構をさらに含む、請求項１記載のガイディングカテーテルシステム。
【請求項３】
該ピールアウェイ機構が、該少なくとも１つのインフレーションルーメンと該外筒の外面との間の逃げ溝を含む、請求項２記載のガイディングカテーテルシステム。
【請求項４】
該ピールアウェイ機構が、該少なくとも１つのインフレーションルーメンと該外筒の外面との間の界面で肥厚区間をさらに含む、請求項２記載のガイディングカテーテルシステム。
【請求項５】
該スタイレットが１つの開口ルーメンを含み、該ガイディングカテーテルシステムが、該スタイレットの該開口ルーメン内に移動可能に配置された１本のガイドワイヤーをさらに含む、請求項１記載のガイディングカテーテルシステム。
【請求項６】
該ガイドワイヤーが該ガイドワイヤーの遠位先端でループを含む、請求項５記載のガイディングカテーテルシステム。
【請求項７】
該ガイドワイヤーは、該ガイドワイヤーの遠位先端が室温では実質的に直線状であるが体温ではループ形状を取るような材料から形成される、請求項５記載のガイディングカテーテルシステム。
【請求項８】
該ガイドワイヤーが該ガイドワイヤーの遠位先端でセンサーを含む、請求項５記載のガイディングカテーテルシステム。
【請求項９】
該センサーが電極を含む、請求項８記載のガイディングカテーテルシステム。
【請求項１０】
該外筒の開口ガイドルーメンが電気的医療用リード線を受け入れる寸法に作られている、請求項１記載のガイディングカテーテルシステム。
【請求項１１】
該インフレーションルーメン内に組み込まれた１つ以上の第２のバルーンをさらに含み、該第２のバルーンが該遠位バルーンセグメントの近位置にある、請求項１記載のガイディングカテーテルシステム。
【請求項１２】
前記遠位バルーンが溝付きである、請求項１記載のガイディングカテーテルシステム。
【請求項１３】
ガイディングカテーテルシステムを制御する方法であって、
スタイレットを外筒のガイドルーメン内に導入するステップを含み、前記スタイレットは開口ルーメンと、前記スタイレットの回転時に前記外筒の長手軸に対して横方向に前記外筒を偏向させる寸法に作られている予備形成された湾曲部を有しており、
遠位バルーンを拡張させるステップを含み、遠位バルーンの少なくとも１つのセグメントが前記外筒の遠位部分に固定可能に取り付けられ、前記遠位バルーンが前記外筒の１つの面に沿って設けられた少なくとも１つのインフレーションルーメンと流体連通しており、前記遠位バルーンは拡張された場合に前記外筒を取り囲む１つに面に係合可能である、ガイディングカテーテルシステムを制御する方法。
【請求項１４】
本のガイドワイヤーを前記スタイレットの開口ルーメンを介して前進させて、少なくとも該ガイドワイヤーの遠位端が前記スタイレットの開口ルーメンから出るようにするステップをさらに含む、請求項１３の方法。
【請求項１５】
前記ガイドワイヤーが、該ガイドワイヤーの遠位端においてセンサーを支持する、請求項１４の方法。
【請求項１６】
前記スタイレットを前記外筒から抜去しかつ電気的医療用リード線を前記外筒の前記ガイドルーメンを介して前進させるステップをさらに含む、請求項１３の方法。
【請求項１７】
前記遠位端にある前記バルーンの近位置で前記外筒に取り付けられた第２のバルーンを拡張させるステップをさらに含む、請求項１３の方法。